(57)【要約】【課題】リテーナが完全嵌合状態にあるか否かの視認性を向上させたコネクタを提供する。【解決手段】コネクタ１０は、インナハウジング２０とリテーナ４０とを備えている。インナハウジング２０は、その前側に相手コネクタ（不図示）と嵌合する嵌合部２１を備え背面からコンタクトが挿し込まれる。リテーナ４０は、インナハウジング２０に嵌合してインナハウジング２０内に挿し込まれたコンタクトを抜け止めする。このリテーナ４０には、嵌合確認穴４２が設けられている。この嵌合確認穴４２は、半嵌合状態において少なくとも一部がインナハウジング２０から露出して前方から視認される。そして、この嵌合確認穴４２は、完全嵌合状態においてはインナハウジングに隠れて前方からの視認が不能となる。【選択図】図２
2019197618.tif 000002
【特許請求の範囲】
【請求項１】
前側に相手コネクタと嵌合する嵌合部を備え背面からコンタクトが挿し込まれるハウジングと、該ハウジングに嵌合して該ハウジング内に挿し込まれたコンタクトを抜け止めするリテーナとを備え、
前記リテーナが、半嵌合状態において少なくとも一部が前記ハウジングから露出して前方から視認され、完全嵌合状態において前方からの視認が不能に該ハウジングに隠れる嵌合確認穴を有することを特徴とするコネクタ。
【請求項２】
前記嵌合確認穴が、前記リテーナを前後方向に貫通した貫通孔であることを特徴とする請求項１に記載のコネクタ。
【請求項３】
前記リテーナが、前記ハウジングと比べ明度の高い材料で作製されていることを特徴とする請求項１または２に記載のコネクタ。
【発明の詳細な説明】
【技術分野】
【０００１】
本発明は、リテーナ付きのコネクタに関する。
【背景技術】
【０００２】
コネクタハウジングに嵌合して、そのハウジングに挿し込まれたコンタクトの抜け止めを担うリテーナを備えたコネクタが知られている（例えば、特許文献１参照）。
【０００３】
このタイプのコネクタの場合、リテーナの嵌合状態として、半嵌合状態と完全嵌合状態が存在する。半嵌合状態は、ハウジングに差し込まれたリテーナがハウジングに仮止めされた状態である。また、完全嵌合状態は、リテーナがその半嵌合状態からさらに嵌合されて、ハウジングに挿し込まれたコンタクトを係止することでそのコンタクトが抜け止めされた状態である。
【先行技術文献】
【特許文献】
【０００４】
【特許文献１】特開２０１０−１２９５２３号公報
【発明の概要】
【発明が解決しようとする課題】
【０００５】
リテーナが半嵌合状態にあるか完全嵌合状態にあるかは、ハウジングに対するリテーナの配置位置、例えばリテーナがハウジングから突出しているか否かにより確認される。しかしながら、半嵌合状態と完全嵌合との間の移動ストロークが短いと完全嵌合状態にあることを見誤るおそれがある。
【０００６】
本発明は、上記事情に鑑み、リテーナが完全嵌合状態にあるか否かの視認性を向上させたコネクタを提供することを目的とする。
【課題を解決するための手段】
【０００７】
上記目的を達成する本発明のコネクタは、
前側に相手コネクタと嵌合する嵌合部を備え背面からコンタクトが挿し込まれるハウジングと、そのハウジングに嵌合してそのハウジング内に挿し込まれたコンタクトを抜け止めするリテーナとを備え、
上記リテーナが、半嵌合状態において少なくとも一部がハウジングから露出して前方から視認され、完全嵌合状態において前方からの視認が不能にハウジングに隠れる嵌合確認穴を有することを特徴とする。
【０００８】
本発明のコネクタの場合、そのリテーナに上記の嵌合確認穴が設けられている。このため、その嵌合確認穴が視認不能であることをもって完全嵌合状態にあることが確認でき、完全嵌合状態にあるか否かを見誤るおそれが低減する。
【０００９】
ここで、上記嵌合確認穴が、リテーナを前後方向に貫通した貫通孔であることが好ましい。
【００１０】
上記の嵌合確認穴が貫通孔の場合、嵌合確認穴と、リテーナの、嵌合確認穴の周囲との間に明暗の強いコントラストが得られ、嵌合確認穴の視認性が一層向上する。
【００１１】
また、リテーナが、ハウジングと比べ明度の高い材料で作製されていることも好ましい形態である。
【００１２】
このように、リテーナとハウジングに明度の差をつけたときも強いコントラストが得られる。
【発明の効果】
【００１３】
以上の本発明のコネクタの場合、リテーナの配置位置のみで完全嵌合状態にあるか否かを確認する構成と比べ、完全嵌合状態にあるか否かの視認性が向上し、見誤るおそれが低減する。
【図面の簡単な説明】
【００１４】
【図１】本発明の一実施形態としてのコネクタの外観斜視図である。
【図２】図１に示されたコネクタの分解斜視図である。
【図３】リテーナの正面図である。
【図４】リテーナが半嵌合状態にあるときの、図１に示すコネクタの正面図である。
【図５】（Ａ）図４に示した矢印Ａ−Ａに沿う断面図と、（Ｂ）図５（Ａ）に示した円Ｒ１の部分の拡大図である。
【図６】リテーナが完全嵌合状態にあるときの、図１に示すコネクタの正面図である。
【図７】（Ａ）図６に示した矢印Ｂ−Ｂに沿う断面図と、（Ｂ）図７（Ａ）に示した円Ｒ２の部分の拡大図である。
【発明を実施するための形態】
【００１５】
以下、本発明の実施の形態について説明する。
【００１６】
図１は、本発明の一実施形態としてのコネクタの外観斜視図である。
【００１７】
また、図２は、図１に示されたコネクタの分解斜視図である。
【００１８】
このコネクタ１０は、インナハウジング２０とアウタハウジング３０とを備えている。インナハウジング２０には、その前側に、相手コネクタ（不図示）と嵌合する嵌合部２１が設けられている。また、アウタハウジング３０には、インナハウジング２０を受け入れる空洞３１が設けられている。この空洞３１は、この空洞３１内に受け入れたインナハウジング２０の嵌合部２１の周りに、さらに相手コネクタを受け入れるだけの間隙を形成する寸法を有する空間である。
【００１９】
また、このコネクタ１０は、図２に示すように、インナハウジング２０およびアウタハウジング３０に加え、さらにリテーナ４０および上下一対のスライダ５０備えている。
【００２０】
インナハウジング２０には、リテーナ４０が嵌合されるリテーナ嵌合部２２が設けられている。インナハウジング２０には、その背面側から、先端にコンタクト６０を備えたケーブル７０（図５参照）の先端部が挿し込まれる。リテーナ４０は、そのケーブル７０の先端に備えられているコンタクト６０に係止して、そのコンタクト６０を抜け止めする部材である。このリテーナ４０は、半嵌合状態と完全嵌合状態とを有する。半嵌合状態は、インナハウジング２０に差し込まれてリテーナ４０がインナハウジング２０に仮止めされた状態である。また、完全嵌合状態は、その半嵌合状態からさらに差し込まれてリテーナ４０がコンタクト６０に係止した状態である。さらに、このインナハウジング２０は、相手コネクタとの間を防水するシール部材２３を備えている。このインナハウジング２０は、本発明にいうハウジングの一例に相当する。
【００２１】
アウタハウジング３０には、上下一対のスライダ差込部３２が設けられている。これら一対のスライダ差込部３２の各々には、一対のスライダ５０の各々が差し込まれる。このスライダ５０は、このコネクタ１０への相手コネクタの嵌合を助けるための部材である。スライダ５０は、従来より知られている部材であり、ここでのテーマでもないため、スライダ５０についてのこれ以上の説明は割愛する。
【００２２】
図３は、リテーナの正面図である。
【００２３】
このリテーナ４０には、インナハウジング２０内のコンタクト６０用挿し込口２５に連通するコンタクト挿込穴４１が設けられている。また、このリテーナ４０には、このリテーナ４０が完全嵌合状態にあるか否かの視認用の嵌合確認穴４２が設けられている。図３に付したハッチングは、嵌合確認穴４２であることを明示したものである。この嵌合確認穴４２は、コンタクト挿込穴４１と同じく、リテーナ４０の表裏（コネクタ１０の前後方向）に貫通した貫通孔である。
【００２４】
図４は、リテーナが半嵌合状態にあるときの、図１に示すコネクタの正面図である。
【００２５】
また、図５は、（Ａ）図４に示した矢印Ａ−Ａに沿う断面図と、（Ｂ）図５（Ａ）に示した円Ｒ１の部分の拡大図である。
【００２６】
図５には、インナハウジング２０の、図１，図２には現れていない構成要素であるシール部材２４が現れている。このシール部材２４は、インナハウジング２０に挿し込まれたケーブル７０の先端部の周囲に接してインナハウジング２０とケーブル７０との間を防水する部材である。なお、図５（Ａ）には、コンタクト６０用の挿し込み口２５が３か所現れていて、それらの挿し込み口２５の各々にコンタクト６０が挿し込まれる。ただし、この図５（Ａ）では、代表的に、中央の１つの挿し込み口２５にのみ、コンタクト６０が挿し込まれた状態が示されている。後に示す図７（Ａ）についても同様である。
【００２７】
図４，図５では、リテーナ４０が半嵌合状態にある。このため、リテーナ４０は、前方から眺めたとき（図４の向きに眺めたとき）に、インナハウジング２０から少し突出した状態にあることが視認される。ただし、その突出量は小さく、その突出のみでは半嵌合状態にあるか、後述する図６，図７に示す完全嵌合状態にあるかを見誤るおそれがある。本実施形態のコネクタ１０の場合、リテーナ４０が半嵌合状態にあると、図５（Ｂ）に矢印Ｘで示す向きに嵌合確認穴４２の一部が視認される。本実施形態のリテーナ４０は、明るい色、例えば乳白色の樹脂で作製されている。そして、その嵌合確認穴４２は、前後方向に貫通している。また、インナハウジング２０は、暗い色、例えば黒色の樹脂で作製されている。このため、乳白色のリテーナ４０に対し嵌合確認穴４２が黒色に見えるという、強いコントラストが得られている。本実施形態の場合、この嵌合確認穴４２が視認されることをもって、半嵌合状態にあること、すなわち、完全嵌合状態にはないことが、明確に確認される。
【００２８】
ここで、図４，図５は、リテーナ４０が半嵌合状態にあるまま、インナハウジング２０をアウタハウジング３０内に配置した状態の図である。ただし、実際は、リテーナ４０を完全嵌合状態にまで嵌合させて後のインナハウジング２０がアウタハウジング３０内に配置される。
【００２９】
図６は、リテーナが完全嵌合状態にあるときの、図１に示すコネクタの正面図である。
【００３０】
また、図７は、（Ａ）図６に示した矢印Ｂ−Ｂに沿う断面図と、（Ｂ）図７（Ａ）に示した円Ｒ２の部分の拡大図である。
【００３１】
図６，図７では、リテーナ４０は完全嵌合状態にある。このため、リテーナ４０は、前方から眺めたとき（図６の向きに眺めたとき）に、インナハウジング２０からは突出せずにインナハウジング２０に隠れた状態にある。また、リテーナ４０が完全嵌合状態にあると、嵌合確認穴４２もインナハウジング２０に隠れて視認することができない状態となる。本実施形態の場合、このように、嵌合確認穴４２が視認されないことをもって、完全嵌合状態にあること、すなわち、半嵌合状態にはないことが、明確に確認される。
【００３２】
なお、本実施形態では、嵌合確認穴４２は貫通孔である旨、説明したが、嵌合確認穴４２は、その周囲との間で十分なコントラストをもって視認されればよく、必ずしも貫通孔である必要はない。
【００３３】
また、インナハウジング２０を明度の低い、例えば黒色等の暗い色の樹脂で作製すると、インナハウジング２０よりも明度の高い色、例えば乳白色等の明るい色のリテーナ４０とのさらに強いコントラストが得られる。
【符号の説明】
【００３４】
１０  コネクタ
２０  インナハウジング
２１  嵌合部
２２  リテーナ嵌合部
２３，２４  シール部材
３０  アウタハウジング
３１  空洞
３２  スライダ差込部
４０  リテーナ
４１  コンタクト挿込穴
４２  嵌合確認穴
５０  スライダ
６０  コンタクト
７０  ケーブル
【図１】
2019197618.tif 000003
【図２】
2019197618.tif 000004
【図３】
2019197618.tif 000005
【図４】
2019197618.tif 000006
【図５】
2019197618.tif 000007
【図６】
2019197618.tif 000008
【図７】
2019197618.tif 000009